(57)【特許請求の範囲】
【請求項１】
上側係止部が形成されている瓶首部と、この瓶首部の下部に備えられた肩部とを持ち、エラストマー材からなる本体；
前記本体の上面と接触するフランジと、このフランジの上部に延設された腰部と、この腰部の上部に延設されたタップ（ｔａｐ）とを持ち、エラストマー材からなった乳首；
及び
前記本体の瓶首部に結合される第１締結リングと、前記第１締結リングと螺合するとともに前記乳首のフランジの上面を覆う第２締結リングとを有し、本体と乳首を密着して結合させる締結手段；を含んでなり、
前記本体の肩部と瓶首部の上側係止部の間に前記第１締結リングが結合されており、
前記本体の瓶首部は、前記第１締結リングが取り囲む定着面に、授乳時に外部空気が流入する外気供給流入口が形成されており、
前記本体の瓶首部の上側係止部は、本体上端から放射状に形成された側方延長部と、前記側方延長部の端部から下方に突設されて第１締結リングの上端を取り囲む下方延長部とからなり、
第１締結リングの上端は前記本体の上側係止部に係合され、
前記第２締結リングの内周面には、前記本体の瓶首部の上側係止部の前記下方延長部の上面と接触する部分に、第１締結リングとの締結の際、前記下方延長部の上面を押圧する押圧部を持つ
ことを特徴とするシリコン哺乳瓶。
【請求項２】
前記外気供給流入口は、素材特有の弾性によって自閉構造を持つバルブ機能をすることを特徴とする請求項１に記載のシリコン哺乳瓶。
【請求項３】
前記乳首は、フランジと腰部の間に凹溝が形成され、
前記第２締結リングは、前記凹溝に結合される押圧部を持つことを特徴とする請求項１に記載のシリコン哺乳瓶。
【請求項４】
前記乳首の腰部は、硬直性の付与及び支持力の補強のために、腰厚部の形態になっていることを特徴とする請求項１に記載のシリコン哺乳瓶。
【請求項５】
前記第２締結リングの押圧部は内周面に突設され、
前記押圧部は、乳首の腰部の下端部と凹溝の間に介在されることを特徴とする請求項３に記載のシリコン哺乳瓶。
【請求項６】
前記本体の肩部は、硬直性の付与及び支持力の補強のために、肩厚部の形態になっていることを特徴とする請求項１に記載のシリコン哺乳瓶。
【請求項７】
第１締結リングは、上端に挿合部を持ち、
前記本体の上側係止部は、下方延長部の内側に前記挿合部が結合される挿入溝が形成されていることを特徴とする請求項１に記載のシリコン哺乳瓶。
【請求項８】
第１締結リングは、上下結合方向表示部を備えていることを特徴とする請求項１ないし請求項７のいずれか１項に記載のシリコン哺乳瓶。
【発明の詳細な説明】
【技術分野】
【０００１】
本発明は幼児用哺乳瓶に係り、より詳しくは
環境ホルモンが発生しないシリコン（ｓｉｌｉｃｏｎｅ）で作られてミルク授乳の安全性が確保され、
特にシリコン素材からなって軟質特性を持つ本体と乳首が互いに安定に押圧密着して水密性結合構造が保障されるように締結手段を硬質締結リングで構成するとともに、
シリコン（ｓｉｌｉｃｏｎｅ）素材の本体及び乳首のみがミルクまたは口腔と接触するものなので、合成樹脂素材による環境ホルモンの露出の危険など、確認された有害さあるいは疑心される有害さがなく、
シリコン材特有の柔軟性によって母体と類似した触感を提供することができるので、幼児の感性発達にも寄与することができる
シリコン哺乳瓶に関するものである。
【背景技術】
【０００２】
周知のように哺乳瓶は、新生児及び幼児の成長に必要な母乳の代用にミルクを授乳しようとするときに使われるものであり、一般的に、ミルクが保存される本体と、タップを備えた乳首と、前記本体と乳首を締結する締結手段とを含んでなる。
そして、本体は安価で軽くて壊れにくい透明なプラスチック（合成樹脂）材等からなり、乳首はタップを幼児が吸うことができるように軟質材からなり、締結手段は本体の上部外周縁に螺合し、乳首を本体の上部に押圧して密着させる。
そして、一度使用した哺乳瓶は細菌が繁殖するおそれがあるため、沸騰水で煮て殺菌処理することで、幼児が哺乳瓶を通じて病菌に感染しないようにする。
【０００３】
しかし、プラスチック材からなる哺乳瓶を沸騰水で消毒するとき、人体に有害な環境ホルモンが発生し、この環境ホルモンはミルクを介して幼児の身に伝達されて悪影響を与える問題がある。また、環境ホルモンは、ミルクを混合するために哺乳瓶本体にお湯を注いだときにも発生する。また、本体がガラス素材からなる哺乳瓶は重く、特有の硬さによって情緒的にも良くなく、強化ガラスや耐熱ガラスを使用した場合でも破損しやすいという問題がある。
【０００４】
このように、幼児用哺乳瓶において有害な環境ホルモンが発生する問題を防止するために、近年、韓国登録特許第０６２１１６３号の“シリコン幼児用哺乳瓶”に開示されているように、哺乳瓶の材質としてシリコンを使ったものなどが販売され始めている。シリコンは値段がちょっと高いが、熱に強くて環境ホルモンが発生しないので、最近はその需要が増加している。
【０００５】
そして、哺乳瓶には、幼児がミルクを吸い込んだミルク量の分だけ外部空気が内部に流入して哺乳瓶の内部圧力を維持させるための空気流入口が備えられている。従来の哺乳瓶においては、空気流入口が外部に直接露出するように乳首に備えられている。
【０００６】
ところで、ミルクの授乳のときは、通常タップを幼児が加え、本体を上部に位置させることでミルクが易しくタップを通じて排出されるようにするが、従来のように空気流入口が乳首に備えられて直接外部に露出する場合には、幼児が授乳中にミルクの吸入をしばらく止めれば、ミルクの水圧によって空気流入口を通じて哺乳瓶からミルクが逆に流出することがたびたび発生する。そして空気流入口を通じて流出したミルクは、表面に沿って流れ幼児の顔に落ちて不快感を引き起こし、又外部に露出したミルクには外部の細菌が浸透して幼児に浸透して細菌感染を引き起こすこともある。
【０００７】
したがって、幼児が授乳中にミルクの吸入をしばらく止めた場合でも、哺乳瓶の内部のミルクが空気流入口を通じて流出することを最小化し、流出した場合でも哺乳瓶の表面に沿って流出したミルクが下がって幼児の顔に落ちるとか幼児の口に流入することを最小化する必要がある。
そして、哺乳瓶の構成要素、つまり本体、乳首、締結手段などは互いに分離できるようにし、隙間に詰まった異物の除去と、沸騰水による消毒洗浄などが容易になるようにして衛生を強化する必要があり、分離後に再組立結合の際には組立結合が便利であり、隙間を通じてミルクが漏出しないように堅く結合されるようにする必要がある。
【０００８】
しかし、シリコンは柔らかい特性を持ち、外力によって押されて形状が変形しやすい特徴があるので、組立結合を難しくし、望まない結合隙間を発生させる問題がある。特に、前記韓国登録特許第０６２１１６３号の“シリコン幼児用哺乳瓶”のように、締結手段として哺乳瓶結合体が単にシリコン材の本体口部の外周縁に嵌合され、締結手段としてタップ栓が前記結合体に螺合される方式の哺乳瓶においては、結合体が本体口部の外周縁に単に嵌合されるだけであり、結合体と本体を互いに結合させる別途の手段が備えられていない。それで、結合体と栓の螺合の際あるいは結合解除の際、結合体と本体が別に動作することになる。言い換えれば、螺合の際または解除の際、本体が結合体に嵌合された状態で回転するため、結合体と栓間の結合または解除を邪魔し、結合体と栓の間に堅固な結合がなされなくて本体と乳首間の密着結合を邪魔する。また、使用者は一方の手で本体を握り他の手では栓を握って回すことで結合体と栓を螺合させる。この際、本体を握る外力によって本体の形状が変形した状態で本体と栓が結合されることにより、本体と乳首の接触部位には結合隙間が発生するおそれが大きい。
【０００９】
なお、シリコンの軟質特性上、本体を押圧すれば、スクリューなどによって結合された栓及び結合体が本体から離脱し易すいとの問題が発生し、もし授乳中にこのような現象が発生すれば幼児の安全まで脅かすことになる。
したがって、哺乳瓶をシリコン材で作るときには、締結手段が本体と乳首を簡便に結合及び解除できるようにするとともに、このときの結合が互いに堅固になり結合隙間を発生せず、かつ外力によって容易に結合が解除されないようにする必要がある。しかし、従来技術によるシリコン哺乳瓶にはこのための手段が備えられていない。
【先行技術文献】
【特許文献】
【００１０】
【特許文献１】韓国登録特許第０６２１１６３号
【発明の概要】
【発明が解決しようとする課題】
【００１１】
本発明はこのような従来技術による哺乳瓶の問題を解決するためになされたもので、
本体と乳首を環境ホルモンが発生しないシリコン材で製作し、
エラストマー材であるシリコン材の限界を考慮して本体と乳首が互いに押圧されて密着することができる構造を導入することで、
意図しない外力によって本体以外の構成が本体から離脱するか、あるいは
このような問題などによって密閉性に問題が生じてミルクが漏れ垂れる等により汚くなり汚染を引き起こし、甚だしくは幼児や保育者が熱傷などの傷害を被る
状況が発生しないようにする、結合の安全性及び使用の便宜性が保障されたシリコン哺乳瓶を提供することを主目的とする。
【００１２】
特に、本体と乳首が互いに押圧されて密着することができる構造を導入するにあたっても、単純な結着性のみを考慮するものではなく、製品生産性とデザイン的美観を一緒に考慮した構造を持つシリコン哺乳瓶を提供することを目的とする。
また、授乳の際に外部空気の流入のための空気流入口を乳首ではなくて本体に形成して流入口でのミルク圧を低めることで、逆に空気流入口を通じてミルクが流出する危険を減らし、
空気流入口は締結手段の第１締結リングが取り囲むようにすることにより、空気流入口を通じてミルクが流出しても流出したミルクが表面に沿って下がらないようにし、不快感または流出したミルクの吸入による細菌感染を防止し、
衛生強化のためにすべての構成要素が互いに分離できるようにして、洗浄及び沸騰水による消毒が簡便になされるようにし、後続の結合においても構成要素が互いに堅固に結合できるようにしたシリコン哺乳瓶を提供することを目的とする。
【課題を解決するための手段】
【００１３】
前記のような課題を解決するための本発明のシリコン哺乳瓶は、
上側係止部が形成されている瓶首部と、この瓶首部の下部に備えられた肩部とを有し、エラストマー材からなる本体；
前記本体の上面と接触するフランジと、このフランジの上部に延設された腰部と、この腰部の上部に延設されたタップ（ｔａｐ）とを有し、エラストマー材からなる乳首；及び
前記本体の瓶首部に結合される第１締結リングと、前記第１締結リングと螺合するとともに前記乳首のフランジの上面を覆う第２締結リングとを有し、本体と乳首を密着して結合させる締結手段；を含んでなり、
前記本体の肩部と瓶首部の上側係止部の間に前記第１締結リングが結合されていることが好ましい。
【００１４】
また、本発明によるシリコン哺乳瓶において、
前記乳首は、フランジと腰部の間に凹溝が形成され、
前記第２締結リングは、前記凹溝に結合される押圧部を持ち、
前記乳首の腰部は、硬直性の付与及び支持力の補強のために、腰厚部の形態になっており、
前記第２締結リングの押圧部は内周面に突設され、
前記押圧部は、乳首の腰部の下端部と凹溝の間に介在されていることが好ましい。
【００１５】
また、本発明によるシリコン哺乳瓶において、
前記本体の瓶首部の上側係止部は、本体上端から放射状に形成された側方延長部と、前記側方延長部の端部から下方に突設されて第１締結リングの上端を取り囲む下方延長部とからなり、第１締結リングの上端は前記本体の上側係止部に係合され、
前記本体の肩部は、硬直性の付与及び支持力の補強のために、肩厚部の形態になっており、
第１締結リングは、上端に挿合部を持ち、前記本体の上側係止部は、下方延長部の内側に前記挿合部が結合される挿入溝が形成され、
前記第２締結リングの内周面には、第１締結リングとの締結の際、前記本体の瓶首部の上側係止部を直接押圧する押圧部を持ち、
第１締結リングは、上下結合方向表示部を備えており、
前記本体の瓶首部は、前記第１締結リングが取り囲む定着面に、授乳時に外部空気が流入する外気供給流入口が形成されていることが好ましい。
【発明の効果】
【００１６】
このような構成を持つ本発明によるシリコン哺乳瓶は、
本体と乳首をシリコンで製作して環境ホルモンによる悪影響から幼児を保護し、
特に第１締結リングに対する第２締結リングの締結の際、本体の下方延長部（または側方延長部または下方延長部及び側方延長部）の上面を第２締結リングの押圧部が押圧し、これと同時にタップ部のフランジ上面を第２締結リングの押圧部が押圧することにより、哺乳瓶の内部で本体と乳首が強く押圧されて密着し、
エラストマーというシリコン材の特性上、外力によっても本体と本体以外の構成品の間の締結構造が解除されなく、
幼児を対象とする安全な使用を保障することができるという効果を持つ。
【００１７】
何よりも密閉性に問題がないので、ミルクが漏れたりして汚染を引き起こし、甚だしくは幼児や保育者が熱傷などの傷害を被る状況が発生しなくなる。
【００１８】
また、シリコン（ｓｉｌｉｃｏｎｅ）素材の本体及び乳首のみがミルクや口腔と接触するものなので、合成樹脂素材による環境ホルモンへの露出の危険など、確認された有害性または疑われる有害性がなく、シリコン材特有の柔軟性によって母体と類似した触感を提供することができ、幼児の感性発達にも寄与することができる。
【００１９】
特に、簡単な構造によって量産性とデザイン的美観を生かすとともに、シリコン哺乳瓶の限界、つまりシリコン哺乳瓶の使用時に予見される安全事故（本本以外の構成品間の締結構造の解除）を前もって防止するという効果を持つ。
【００２０】
そして、空気流入口が本体に形成されるので、哺乳瓶の内部のミルクによる水圧を小さく受けることにより空気流入口を通じてミルクが逆に外部に流出するおそれが小さく、
空気流入口の外部は第１締結リングによって取り囲まれるので、流入口を通じて一部のミルクが流出しても本体と第１締結リングの隙間に収容されることにより哺乳瓶の表面に流出したミルクが下がらなく、
流出する累積ミルクの量が隙間に収容可能な量を超えても、幼児が哺乳瓶のミルクを吸いこめば、隙間に収容されていたミルクがまた流入口を通じて内部に収容され、流出したミルクが哺乳瓶の表面に沿って下がるおそれはほとんどないので、流出するミルクによる不快感の誘発と、流出して表面を下がるうちに浸透した細菌がミルクに浸透して幼児に吸収される細菌感染を誘発するおそれが小さいという効果を持ち、究極には幼児を含む使用者の安全と便宜性を一緒に考慮したシリコン哺乳瓶を得ることができるという効果を持つ。
【図面の簡単な説明】
【００２１】
【図１】本発明の第１具現例による小容量シリコン哺乳瓶の図である。
【図２】本発明の第１具現例による大容量シリコン哺乳瓶の図である。
【図３】本発明の第１具現例による大容量シリコン哺乳瓶の要部図である。
【図４】本発明の第２具現例によるシリコン哺乳瓶の斜視図である。
【図５】本発明の第２具現例によるシリコン哺乳瓶の分解斜視図である。
【図６】本発明の第２具現例によるシリコン哺乳瓶の構成品である乳首、第１及び第２締結リングの底面斜視図である。
【図７】本発明の第２具現例によるシリコン哺乳瓶の結合断面図である。
【発明を実施するための形態】
【００２２】
以下、添付図面に基づいて本発明を詳細に説明する。
【００２３】
本発明は多様な変更を加えることができ、いろいろの形態を持つことができる。以下、具現例（態様、ａｓｐｅｃｔ）または実施例を詳細に説明する。しかし、これは本発明を特定の開示形態に限定しようとするものではなく、本発明は、その思想及び技術範囲に含まれるすべての変更、均等物ないし代替物を含むものに理解しなければならない。
【００２４】
各図において同一の参照符号、特に十の桁及び一の桁、または十の桁、一の桁及びアルファベットが同じ参照符号は同一または類似の機能を持つ部材を示し、特に言及がない場合、図面の各参照符号が指称する部材はこのような基準に準ずる部材に把握すれば良い（特に、図１〜図３の第１具現例に係わる第１図群は２桁の、図４〜図７の第２具現例に係わる第２図群は３桁の参照符号を採用したことに主な違いがある）。
また、各図において、構成要素は理解の便宜上、大きさや厚さを誇張して大きく（または厚く）あるいは小さく（または薄く）表現するとか単純化して表現しているが、これによって本発明の保護範囲が制限されて解釈されてはいけない。
【００２５】
本明細書で使用した用語はただ特定の具現例（態様、ａｓｐｅｃｔ）または実施例を説明するために使用されたもので、本発明を限定しようとする意図ではない。単数の表現は文脈上特に明記しない限り、複数の表現を含む。本出願において、“含む”または“なる”などの用語は明細書上に記載された特徴、数字、段階、動作、構成要素、部品またはこれらの組み合わせが存在することを指定しようとするものであり、一つまたはそれ以上の他の特徴、数字、段階、動作、構成要素、部品またはこれらの組み合わせの存在または付加の可能性を予め排除しないものに理解されなければならない。
【００２６】
特に定義がない限り、技術的ないし科学的な用語を含み、ここで使われるすべての用語は本発明が属する技術分野で通常の知識を持つ者によって一般的に理解されるものと同一の意味を持っている。一般的に使われる辞書に定義されているもののような用語は関連技術が文脈上持つ意味と一致する意味を持つものに解釈されなければならなく、本出願において明らかに定義しない限り、理想的なあるいは過度に形式的な意味に解釈されない。
本明細書に記載された“第１”、“第２”などは互いに異なる構成要素であることを区分するために指称するものであり、製造手順を限定するものではなく、発明の詳細な説明と請求範囲でその名称が一致しないこともある。
【００２７】
本発明によるシリコン哺乳瓶を説明するにあたり、便宜上厳密ではない概略の方向基準を図１に基づいて特定すれば、図示の状態で上下及び左右を分け、他の図に関連した発明の詳細な説明及び請求範囲においてもこの基準によって方向を特定して記述する。
【００２８】
本明細書及び請求範囲において本発明による哺乳瓶の内部のミルクとこれを吸い込む幼児が接する哺乳瓶のすべての構成部分（本体と乳首）は環境ホルモンへの露出のおそれがないシリコン（ｓｉｌｉｃｏｎｅ；珪素樹脂）材で構成したが、本体及び乳首の素材をシリコン材に限定するものではない。
すなわち、シリコン材ではないとしても、これに対応する機能を持ち、つまり環境ホルモンへの露出の危険がなく、熱湯による消毒が可能なエラストマー（ｅｌａｓｔｏｍｅｒ；弾性重合体）材のものに取り替えられることができる。
したがって、本明細書における名称及び請求範囲のカテゴリーで‘シリコン’哺乳瓶と指称したことは、環境ホルモンへの露出などの合成樹脂素材による危険性がない多様なシリコンなどのエラストマーを代表して象徴的に指称するためであり、これによって本発明の保護範囲が制限されて解釈されてはいけない。
【００２９】
図１〜図３の第１具現例に係わる第１図群において、図１は本発明の第１具現例による小容量シリコン哺乳瓶Ｂに関するもので、［Ａ］は結合斜視図、［Ｂ］は分解斜視図、［Ｃ］は分解断面図であり、図２は本発明の第１具現例による大容量シリコン哺乳瓶Ｂに関するもので、［Ａ］は結合斜視図、［Ｂ］は結合断面図であり、図３は本発明の第１具現例による大容量シリコン哺乳瓶Ｂに関するもので、多様な観察角度で示すものである。
【００３０】
一点鎖線円“Ｃ１ａ”は、哺乳瓶を幼児が吸うとき、外気を哺乳瓶の内部に供給するための案内溝１６及び流入口を中心として哺乳瓶本体１０の外部から観察したものであり、一点鎖線円“Ｃ１ｂ”は外気供給流入口１５の部分を哺乳瓶本体１０の内部で観察したものであり、一点鎖線円“Ｃ２ａ”はスリット型外気供給流入口１５の部分を軸として垂直に切開して外部から観察した要部斜視断面図であり、一点鎖線円“Ｃ２ｂ”はスリット型外気供給流入口１５の部分を軸として垂直に切開して内部で観察した要部斜視断面図であり、一点鎖線円“Ｃ３”は垂直に切開して外部から観察した要部斜視断面図で、スリット型外気供給流入口１５と案内溝１６を一緒に観察することができ、一点鎖線円“Ｃ４ａ”はスリット型外気供給流入口１５が観察されるようにした要部平断面図であり、一点鎖線円“Ｃ４ｂ”は変形例を示すもので、円形外気供給流入口１５ｍが観察されるようにした要部平断面図である。
【００３１】
図１及び図２において、本発明によるシリコン哺乳瓶Ｂは、幼児の月齢による摂取量を考慮して、所用量または大容量の本体１０を導入することができ、さらに必要によって乳首２０も大きさを多様にすることができる。
本発明によるシリコン哺乳瓶は、本体と乳首をシリコンなどの環境に優しい素材で製作したので、環境ホルモンへの露出の危険などの確認された有害性または疑われる有害性がなく、特にエラストマー材特有の柔軟性によって母体と類似した触感を提供することができ、幼児の感性発達にも寄与することができる。
【００３２】
柔軟なシリコン本体と乳首は締結手段によって単純で力強く分離及び結合可能である。これらの締結手段は特に硬質の第１及び第２締結リングで構成され、本体と乳首が互いに安定に押圧されて密着して水密性結合構造が保障され、ひいては第１及び第２締結リングは、ミルクなどの内容物または幼児の口腔と接触しない形態なので一層安全である。
前記本体１０は内部に収容空間Ｓを持ち、外部からミルクなどの容量を確認することができる目盛り１０ｇ（図１［Ｂ］の右側一点鎖線円内に示された目盛りだけの正面図から確認できるように、左側に‘ｍｌ’の単位で‘１０ｍｌ’間隔の目盛りがあり、右側には多様な消費者層を考慮して‘ｆｌ ｏｚ’の単位（アメリカ式、液量オンス（ｆｌｕｉｄ ｏｕｎｃｅ））で‘０．５ｆｌ ｏｚ’間隔（約１４０．２ｍｌ）の目盛りが配列されている）が備えられており、全体としてスムーズな曲線を成しており、腰部１０Ｗの部分は凹形であるので、シリコン特有の摩擦力に加え、幼児が単独で握ってミルクなどを摂取するのに適した人体工学的構造を持っている。
【００３３】
また、前記本体１０は腰部１０Ｗ上に外径が拡張した肩部１０Ｓを持ち、肩部上には瓶首部１０Ｎが備えられている。
この瓶首部１０Ｎの外周面は、締結手段Ｃを構成する締結リング３０、４０の中で第１締結リング３０が接触する定着面１３をなし、その上端には上側係止部１１が形成されて第１締結リングの上向離脱を制限するようになる。
前記‘瓶首部’はその形状と相対的な内外径が重要なものではなく、第１締結リングが定着・結合される部位として機能することが基本であるので、この基本的な機能を中心として解釈されなければならなく、本明細書及び請求範囲で指称する‘瓶首部’の語義によって本発明が制限されて解釈されてはいけない。
【００３４】
前記乳首２０の下端には、前記本体の上面特に上側係止部１１と接触するフランジ２０Ｐが備えられて、締結手段Ｃをなす締結リング３０、４０の中で第２締結リング４０のための結合部位を提供し、このフランジの上部には一体的に延設された腰部２０Ｗが形成されており、この腰部の上部にはやはり一体的に延設されたタップ（ｔａｐ）２５が備えられ、タップの頂点にはミルクなどの内容物排出孔２５ｈが形成されている。
【００３５】
図１［Ｃ］の断面図から確認できるように、タップ２５の内周面には一つまたは複数の補強リング２５ｒが厚く形成されているので、幼児が吸う力によって適切にタップを収縮させ、相対的に高弾性部位である補強リング２５ｒによって速かに膨脹することができる。
締結手段Ｃの第１締結リング３０は本体１０の瓶首部１０Ｎに結合される。特に定着面１３に第１締結リングの内周面が接触するように位置し、外周面に雄ネジ部３１を持つ。
【００３６】
締結手段Ｃの第２締結リング４０は乳首２０のフランジ２０Ｐに結合され、乳首２０のフランジ２０Ｐの上面を覆う係合部４１を持ち、この係合部の下面には係合部の下端から下方に向かって一体的に延設されたスカート（ｓｋｉｒｔ）４３を持ち、内周面、特にスカート４３の内周面には雌ネジ部４１ｓが形成されて、第１締結リングの雄ネジ部と螺合方式で締結される。
【００３７】
次に、より具体的に本体と第１締結リング、乳首と第２締結リング、本体と乳首の密着構造などを説明する。すなわち、本体と乳首を密着結合させる締結手段を具体的に説明する。
【００３８】
前記本体１０の瓶首部１０Ｎの上端の上側係止部１１は、本体の上端から放射状に形成された側方延長部１１ａと、前記側方延長部１１ａの端部から下方に突設されて第１締結リング３０の上端を取り囲む下方延長部１１ｂとからなり、第１締結リング３０の上端は前記本体の上側係止部１１に係合されている。
特に、第１締結リング３０は瓶首部１０Ｎより外径が大きな肩部１０Ｓと瓶首部１０Ｎの外側に突出した上側係止部１１との間に介在されることにより、上下方向への勝手な動きや離脱が防止され、定位置に固定された組立状態を維持することができる。
【００３９】
また、第１締結リング３０は上端部、特に相対的に薄い挿合部３３を持ち、前記本体の上側係止部１１は、下方延長部１１ｂの内側に、前記挿合部３３が結合される挿入溝１１ｃが形成されることにより、隙間がなくて搖れが防止された結合状態を維持している（図１［Ｃ］の一点鎖線円“１Ｃ”及び図２［Ｂ］の一点鎖線円“２Ｃ２”の拡大断面図を参照）。
【００４０】
一方、第１締結リング３０は上下結合方向表示部を備えることで、洗浄、殺菌などのための分解後、第２締結リング４０との螺合のための左ネジまたは右ネジの混同による間違いなしに正確に組み立てることができるので、不便さが発生しないようになっている。図示の上下結合方向表示部は特に第１締結リングの下端に突設された環状突条３５であり、この突条の外径が第２締結リング４０の下端内径より大きいので、逆方向への結合が根本的に防止され、この突条３５が下方に向かった状態で本体１０の瓶首部１０Ｎに組み立てれば良いので、組立間違いが発生しなくなる。
【００４１】
次に、前記乳首２０はフランジ２０Ｐと腰部２０Ｗとの間に凹溝２３が形成され、前記第２締結リング４０は前記凹溝２３に結合される押圧部４７を持つ。
また、前記第２締結リング４０の押圧部２３は第２締結リングの内周面に突設された形態であり、前記押圧部は乳首２０の腰部２０Ｗの下端部と凹溝２３との間に介在されている。
【００４２】
特に、図２［Ｂ］の一点鎖線円“２Ｃ１”の拡大断面図から確認できるように、前記第２締結リングの押圧部４７の内側上面には被押圧部４７ｓが形成されて、乳首２０の腰部２０Ｗの下端によって押圧されて密着して支持され、フランジ２０Ｐの結合突起２１は前記第２締結リング４０の押圧部４７の下面内側結合溝４７ｇに結合される形態であるので、乳首２０と第２締結リング４０の確固な結合状態を保障し、また［本及び第１締結リング組立体］と［乳首及び第２締結リング組立体］の相互結合による哺乳瓶Ｂ組立の際、乳首２０のフランジ２０Ｐの下側密着面２０ｐが確かに本体１０の上側係止部１１の上面に接触するように力を加えることができる。
【００４３】
また、図２［Ｂ］の一点鎖線円“２Ｃ１”の拡大断面図から確認できるように、本発明による哺乳瓶Ｂにおいては、フランジ２０Ｐの下側密着面２０ｐが確かに本体１０の上側係止部１１の上面に密着すること以外にも、前記第２締結リング４０の内周面には、第１締結リング３０との締結の際、前記本体１０の瓶首部１０Ｎの上側係止部１１を直接押圧する押圧部４５がさらに備えられ、この押圧部４５が密着面２０ｐと係止部１１の接触面以外の部分、特に下方延長部１１ｂの上面押圧部１１ｓを押圧する形態であるので、より確実に２次的にもう一度水密性を保障するようになっている。
【００４４】
一方、前記本体１０の肩部１０Ｓは、硬直性の付与及び支持力補強のために、軟質特性（柔らかな感触による母体と類似した触感の提供）の保障及び無駄に材料が消費される浪費の防止などのために、相対的に薄い他の本体部位の厚さに比べ、相対的に厚くて形状維持力を提供する肩厚部の形態となっている。
［本及び第１締結リング組立体］と［乳首及び第２締結リング組立体］の螺合のために、第１及び第２締結リング３０、４０を握って回転して締結して結合された状態にしてさらに少し力を加えることにより、フランジ２０Ｐの下側密着面２０ｐと本体１０の上側係止部１１の上面が変形して１次的水密性を確保してより確実に密着し、第２締結リング４０の押圧部４５が係止部１１の押圧部１１ｓを押圧して変形させて２次的水密性を確保しようとする場合、追加の力を克服することができず本体１０が正常形状を維持することができなくなり、これによりミルクなどの内容物が本体の収容空間Ｓから漏洩するか注いで周囲面を汚して汚染をもたらし、熱傷などの傷害を加えることになる状況の発生は、前記形状維持力を提供する肩厚部によって根本的に遮断される。
また、前記乳首２０の腰部２０Ｗも、軟質特性（タップ２５の弾力的収縮及び復元によるミルク排出機能の確保、かつフランジ２０Ｐ部位の変形による水密性の確保）の保障及び無駄に材料が消費される浪費の防止などのために、相対的に薄い他の本体部位の厚さに比べ、相対的に厚くて形状維持力を提供する硬直性の付与及び支持力の補強機能を果たす腰厚部の形態になっている。
【００４５】
これにより、乳首２０の腰後部も、［本体及び第１締結リング組立体］と［乳首及び第２締結リング組立体］の螺合のために、第１及び第２締結リング３０、４０を握って回転締結して結合された状態にさらに少し力を加えて、上述した１次及び２次的水密性確保部位（２０ｐ、１１）、（４５、１１ｓ）の完全な密着を可能にする支持力を提供するようになる。
【００４６】
次に、前記本体１０の瓶首部１０Ｎには、前記第１締結リング３０が取り囲む定着面１３に、授乳時に外部空気が流入する外気供給流入口１５が形成されている。
図３における一点鎖線円“Ｃ１ａ”、“Ｃ１ｂ”、“Ｃ２ａ”、“Ｃ２ｂ”、“Ｃ３”及び“Ｃ４ａ”からは、スリット型外気供給流入口１５を確認することができ、本体１０の瓶首部１０Ｎの定着面１３と第１締結リング３０の内周面が密着しているにも係わらずなだらかに外気が流入口に誘導できるように、第１締結リング３０の下部領域、つまり肩部１０Ｓの上部から始まって瓶首部１０Ｎに繋がった案内溝１６を確認することができる。
このような外気供給‘流入口’１５は、特に本発明においては、本体１０の瓶首部１０Ｎに形成され、第１締結リング３０によって遮られるので、父母などの使用者や幼児の手などの外部体と接触しない形態となっているので、汚染が防止される。
また、素材特有の弾性によって得られる自閉構造によって‘バルブ’の役目を果たすようになっている。
【００４７】
また、流入口１５が流入突起１５ｐの頂点に形成されており、流入突起１５ｐの周囲の内外面は周囲溝１５Ｇと流入溝１５ｇによってそれぞれ取り囲まれた構造であるので、流入口１５の開閉のための素材の弾性を、制限されずに自由で敏感に発生させることができ、また周囲溝１５Ｇと流入溝１５ｇによって流入口１５と流入突起１５ｐの洗浄も容易であるので、哺乳瓶の場合に何よりも重要な衛生にも万全を期することができる。
【００４８】
このような流入口の特性をより具体的に説明すれば次のようである。
前記スリット型外気供給流入口１５は、外部から内部に向かって流入口１５が頂点に形成された流入突起１５ｐを持つ形態になっている。流入突起１５ｐは、外周面で観察したとき、流入口１５に向かって陷沒した流入溝１５ｇを持ち、この流入溝は案内溝１６と連通されているので、本体１０の瓶首部１０Ｎの定着面１３と第１締結リング３０の内周面の密着状態は、前記案内溝１６と流入溝１５ｇの部位では維持されずに隙間を形成することにより、円滑な外気流入が保障される。
【００４９】
また、内周面で観察したとき、前記流入口１５を頂点とする流入突起１５ｐはこれを取り囲む周囲溝１５Ｇ内の領域に備えられているので、幼児がミルクなどの内容物を吸う力により十分にかつ自由にスリット型外気供給流入口１５が開かれるようになっている。
一方、一点鎖線円“Ｃ４ｂ”では、変形例として、円形の外気供給流入口１５ｍが形成されている。すなわち、流入口の形状、数、大きさが多様に選択可能である。
【００５０】
次に、乳首２０を保護するキャップ５０は下端内周面に係止突起５１を持ち、図１［Ｃ］から確認できるように、この不連続的な複数の係止突起（連続的なものもあり得る）が第２締結リング４０のスカート４３の外周面下端の結合段４９に締まりばめの方式で結合されることにより、任意の分離を防止することができる結合力を保障するようになる。
【００５１】
次に、図４〜図７の第２具現例に係わる第２図群を説明する。
この第２図群に示すように、本発明の第２具現例によるシリコン哺乳瓶Ｂｍは、本体１１０、乳首１２０、及び締結手段１３０、１４０の大構成要素を含んでなる。
【００５２】
前記本体１１０はシリコン材で製作され、授乳するミルクを収容して保存するように下部が塞がっている円筒状となる。
そして、前記本体１１０の表面には、内部に収容されたミルクの量を認知できるように、容量目盛り（図示せず）が表示されており、表面は滑りを防止するために微細にエンボス処理されることが好ましい。
【００５３】
前記本体１１０の上部外周縁には、前記締結手段１３０、１４０の第１締結リング１３０がかかる上側係止部１１１が外側に突設され、前記上側係止部１１１の下側には前記第１締結リング１３０が挿着される定着面１１３が形成される。
すなわち、前記のような構成の本体１１０の定着面１１３に第１締結リング１３０が挿入され、定着面１１３に挿入されると同時に前記上側係止部１１１に第１締結リング１３０の上端がかかることにより離脱が防止される。
そして、前記第１締結リング１３０の外周面にはネジ山が形成され、本体１１０の定着面１１３に第１締結リング１３０が挿入された後、乳首１２０が嵌合された第２締結リング１４０が第１締結リング１３０に螺合される。
【００５４】
参考までに、第２締結リング１４０が第１締結リング１３０に締結される方式は多様に考案可能なので、先に言及した螺合に限定されるものではない。
次に、第１締結リング１３０に第２締結リング１４０が締結されることで、第２締結リングの内周面は乳首１２０と本体１１０の上端（より正確には上側係止部１１１）を押圧するようになり、本体１１０及び乳首１２０に対する第２締結リング１４０の押圧によって本体と乳首が互いに密着することになる。
【００５５】
しかし、先の従来技術などで言及したように、エラストマーというシリコン材の特性上、前記のように各構成品が結合された状態でも外力によって構成品間の結合が解除されることができ、これにより事故が発生する可能性があるという問題が発生する。
すなわち、前記のように構成品が結合された状態で、使用者が本体１１０の上部を押せば、シリコン材の特性によって押された本体の上部が容易に内部に陷沒し、本体の定着面１１３に結合されていた第１締結リング１３０が本体から離脱し、構成品間の結合が解除される問題が発生することになる。
【００５６】
したがって、本発明により、結合が解除される問題を防止することができる結着構造が導入された。ここで、安全性だけではなく製品生産の量産性とデザイン的美観が一緒に考慮された構造の導入が必要であった。
したがって、本発明の上側係止部１１１は、本体の上部から外側に伸びる側方延長部１１１ａと、前記側方延長部の端部から下方に突設されて第１締結リング１３０の外周面を取り囲むように形成された下方延長部１１１ｂとからなり、また第２締結リング１４０の内周面には、前記下方延長部１１１ｂの上面を押圧する押圧部１４５が形成される（もちろん、形成される押圧部１４５の大きさまたは位置によって下方延長部のみを押圧することもでき、側方延長部のみをあるいは下方延長部と側方延長部の両方の上面を押圧することもできる）。
よって、下方延長部１１１ｂによって本体１１０が第１締結リング１３０の外周面を取り囲む状態で前記第２締結リング１４０の押圧部１４５が下方延長部１１１ｂを押圧するようになるので、使用者が本体１１０の上部をいくら強く押しても第１締結リング１３０が本体１１０から離脱する現象が発生せず、構成品間の結合が解除されて本体内部のミルクが漏れてしまう事故を防止することができる。
【００５７】
次に、本体と同一の材質からなった乳首１２０を説明する。
本発明の乳首は、本体の上端、つまり上側係止部の上面に配設されるフランジ１２１と、前記フランジから上部に突設されるタップ１２５とからなる。
そして、前記タップ１２５の一面には、第２締結リング１４０が結合されるための凹溝１２３が形成されておより、前記第２締結リング１４０と乳首１２０の間の結合がなされる。
【００５８】
前記第２締結リング１４０は第１締結リング１３０と締結されて前記乳首のフランジ１２１の上面を覆うようになる。本発明の第２締結リング１４０の場合、前記押圧部１４５の外にも、安定した結着構造の具現のために、フランジ１２１の上面を押圧するための押圧部１４７が備えられる。
すなわち、フランジ１２１の上面を覆うとともにこれと接する第２締結リング１４０の内周面には押圧部１４７を備えることで、第１締結リング１３０に対する第２締結リング１４０の締結の際、フランジ１２１の上面を押圧するようになる。
前記構成によれば、下方延長部１１１ｂによって本体１１０が第１結合部材１３０を取り囲んだ状態で１次的には押圧部１４５が下方延長部１１１ｂの上面を押し、２次的には押圧部１４７が乳首１２０のフランジ１２１の上面を押すことにより、より効果的に各構成品間の安定した結着構造が形成される。
【００５９】
また、前記フランジ１２１の外側底面には下方に突設された押圧部１２７が形成される。これもやはり、第１締結リング１３０に対する第２締結リング１４０の締結の際、上側係止部１１１の上面を押圧して構成品を互いに密着させるための構造である。
次に、前記第２締結リング１４０は、係合部１４１と、前記係合部１４１の下部に連結されるスカート１４３とを含んでなる。前記第２締結リング１４０の係合部１４１は前記乳首１２０のフランジ１２１の上面を覆い、前記第２締結リング１４０のスカート１４３は前記第１締結リング１３０の外周縁を覆い、内面には前記第１締結リング１３０の外面に形成されたネジ山と螺合する対応ネジ山が形成されている。
したがって、前述した第２締結リングに備えられた押圧部１４７は前記係合部１４１の底面に形成される構造であり、押圧部１４５は係合部１４１からスカート１４３につながって形成される部分から内側に突出した段構造である。
【００６０】
次に、また本体１１０の構造を参照すれば、前記定着面１１３の内側には、ミルクの授乳時に外部空気が内側に流入するようにする流入口１１５が多数形成される。
前記流入口１１５は内狭外広の構造であることが好ましい。これは、内狭外広の構造によって外部の空気は内部に容易に流入し、内部のミルクは外部に容易には流出しないようにする。
【００６１】
参考として、図２の円内には前記流入口１１５の構造の変形実施例が断面図として示されているが、流入口１１５の構造は図に示された例に限定されない。
そして、前記流入口１１５に外部空気が流入することができるように、前記定着面１１３と前記第１締結リング１３０の間には図４のように隙間１１６が形成されることができ、図５のように第１締結リング１３０の一部にだけ経路溝１３６を形成することでもっと易しく外部空気が流入口１１５に流入するようにすることもできる。
【００６２】
すなわち、図４の場合、前記定着面１１３の外径は前記第１締結リング１３０の内径より少し小さく、前記定着面１１３の上下幅は前記第１締結リング１３０の上下幅より少し長くなるようにして、外部から流入口１１５まで空気が流れることができる経路である隙間１１６を形成する。
そして、前記定着面１１３の底面と前記第１締結リング１３０の内面がなす隙間１１６には前記流入口１１５を通じて流出したミルクが一時保存されるようにすることで、ミルクが流入口１１５から流出しても表面に沿って垂れないようにする。
【００６３】
その代案として、図７のように、第１締結リング１３０の内面下部に前記流入口１１５と連通する経路溝１３６を形成して、外部空気が前記経路溝１３６を通じて流入口１１５に流入するようにすることができる。そして、この際、前記第１締結リング１３０の内面の前記経路溝１３６を除いて前記本体１３０に緊密に密着するので、本体１１０と第１締結リング１３０の結合力は弱くならず、より好ましい。図７の矢印は外部空気の流入経路を簡略に示すものである。
【００６４】
そして、前記定着面１１３の底面には、前記第１締結リング１３０の挿入ホール１３７に挿入されて雌雄型で結合される挿入突起１１７が多数突設される。
前記挿入突起１１７が前記挿入ホール１３７に挿入され雌雄型で結合されて前記本体１１０と前記第１締結リング１３０を結合させることにより、前記第１締結リング１３０と第２締結リング１４０を螺合させるか、あるいは結合を解除するために本体１１０と第２締結リング１４０を把持して互いに反対方向に回転させるとき、第１締結リング１３０が本体１１０に結合して本体１１０とともに回転することができずかつ第２締結リング１４０と結合して第２締結リング１４０とともに回転することができないようにして、つまり本体１１０が第１締結リング１３０で空回ししないようにして、第１締結リング１３０と第２締結リング１４０の螺合または結合解除が円滑になされるようにする。
そして、前記挿入突起１１７の端部には、図５に示した変形例のように、拡張係止部１１８を形成できる。前記拡張係止部１１８は前記第１締結リング１３０の挿入ホール１３７に挿入された後に第１締結リング１３０の外周縁にかかる。この際、前記挿入突起１１７及び拡張係止部１１８はシリコン材からなって伸縮可能であるので、拡張係止部１１８より内径が小さな挿入ホール１３７に挿入されるか又は分離離脱可能である。
【００６５】
前記拡張係止部１１８は、前記本体１１０と第１締結リング１３０の結合力を高め、特に第１締結リング１３０と第２締結リング１４０を螺合させるために使用者が本体１１０を把持する外力によって本体１１０が押されて変形が発生するとき、本体１１０の定着面１１３では変形が発生しないように、つまり第１締結リング１３０の内面から本体１１０の定着面１１３が遠くならないようにする。
これにより、第１締結リング１３０と第２締結リング１４０の螺合過程で本体１１０の上端と乳首１２０の下端が互いにずれること又は結合部に隙間が発生することを防止することで、本体１１０の上端と乳首１２０の下端が緊密に押圧密着して内部のミルクが漏出しないようにする。
また、前記本体１１０は、図４及び図７のように、上部を下部より厚くして外力によって上部が変形するおそれを減らすことにより、第１締結リング１３０と第２締結リング１４０の螺合の際、結合部に隙間が発生することをより確実に防止することが好ましい。
次に、乳首１２０の外部露出を防止するためにキャップ１５０が備えられる。前記キャップ１５０は第２締結リング１４０のスカート１４３に形成された結合段１４９によって第２締結リング１４０に結合される。
【００６６】
以上の説明において、タップの弾性などの物性に関連した通常の公知技術は省略されているが、当業者であれば容易にこれを推測及び推論して再現することができる。
【００６７】
以上、本発明の説明において、添付図面に基づいて特定の形状と構造を持つシリコン哺乳瓶を説明したが、本発明は当業者によって多様な変形及び変更が可能であり、このような変形及び変更は本発明の保護範囲に属するものに解釈されなければならない。
【符号の説明】
【００６８】
Ｂ、Ｂｍ  哺乳瓶
Ｃ        締結手段
１０      本体
１１      上側係止部
１１ａ    側方延長部
１１ｂ    下方延長部
１３      定着面
１５      流入口
１６      案内溝
２０      乳首
２１      フランジ
２３      凹溝
２５      タップ
２７      押圧部
３０      第１締結リング
４０      第２締結リング
４１      係合部
４３      スカート
４５      押圧部
４７      押圧部
４９      結合段
５０      キャップ
【図１】
0005723996.tif 000002
【図２】
0005723996.tif 000003
【図３】
0005723996.tif 000004
【図４】
0005723996.tif 000005
【図５】
0005723996.tif 000006
【図６】
0005723996.tif 000007
【図７】
0005723996.tif 000008